(57)【要約】【課題】  大容量の薬液を高い定量精度で吐出でき、長期に渡り正確な吐出が可能な定量送液ポンプを提供する。【解決手段】  移送液を収容するポンプ室２８の容積を変化させる送液用ベローズ２５の内部室または、ポンプ室２８を構成するチューブ６１の外周側の室内と、シリンジ本体１３のシリンジ室１７とに非圧縮性液体を充填し、シリンジ室１７に、軸方向へ移動可能にピストンロッド１０を設けるとともに、シリンジ室１７の外部で下方に延びるピストンロッド１０の外周を囲む下方ベローズ３０と、ピストンロッド１０の側方に配置された側方ベローズ３６とを設け、下方ベローズ３０の内部室から側方ベローズ３６の内部室に至る閉鎖空間に非圧縮性液体を充填した。これによって、ピストンロッド１０の往復動による下方ベローズ３０の伸縮に応じて、側方ベローズ３６が、非圧縮性液体が充填された閉鎖空間の容積を略一定に保つように連動しながら伸縮するようにした。【選択図】  図１
2006266250.tif 000002
【特許請求の範囲】
【請求項１】
ポンプ室と、該ポンプ室へ移送液が吸入される吸入口と、該ポンプ室から前記移送液が吐出される吐出口と、非圧縮性液体が内部室に充填され、伸縮によって前記ポンプ室の容積を変化させる送液用ベローズと、が設けられたポンプヘッドと、
前記非圧縮性液体が充填され前記送液用ベローズの内部室と連通されたシリンジ室が設けられたシリンジ本体と、
前記シリンジ本体との間がシール部材によってシールされた状態で前記シリンジ室を軸方向に往復動することにより、該シリンジ室と前記送液用ベローズの内部室との間で前記非圧縮性液体を流出入させ、これにより前記送液用ベローズを伸縮させる駆動部材と、
前記シリンジ室の外部で下方に延びる前記駆動部材の外周を囲み、その下端部が該駆動部材に固定され、該駆動部材の往復動に連動して伸縮する下方ベローズと、
前記駆動部材の側方に配置され、前記下方ベローズと内部室が連通した側方ベローズと、を備え、
前記下方ベローズおよび側方ベローズの内部室と、これらの内部室を連通させる連通部とからなる空間であり、前記シール部材によって前記シリンジ室と仕切られた空間内に、非圧縮性液体が充填され、前記駆動部材の往復動による前記下方ベローズの伸縮に応じて、前記側方ベローズが、前記非圧縮性液体が充填された前記空間の容積を略一定に保つように連動しながら伸縮することを特徴とする定量送液ポンプ。
【請求項２】
内部空間がポンプ室を構成し、径方向に膨張および収縮自在なチューブと、該ポンプ室へ移送液が吸入される吸入口と、該ポンプ室から前記移送液が吐出される吐出口と、前記チューブの外周側の空間で構成され非圧縮性液体が充填されるチューブ外周室と、が設けられたポンプヘッドと、
前記非圧縮性液体が充填され前記チューブ外周室と連通されたシリンジ室が設けられたシリンジ本体と、
前記シリンジ本体との間がシール部材によってシールされた状態で前記シリンジ室を軸方向に往復動することにより、該シリンジ室と前記チューブ外周室との間で前記非圧縮性液体を流出入させ、これにより前記チューブを膨張および収縮させる駆動部材と、
前記シリンジ室の外部で下方に延びる前記駆動部材の外周を囲み、その下端部が該駆動部材に固定され、該駆動部材の往復動に連動して伸縮する下方ベローズと、
前記駆動部材の側方に配置され、前記下方ベローズと内部室が連通した側方ベローズと、を備え、
前記下方ベローズおよび側方ベローズの内部室と、これらの内部室を連通させる連通部とからなる空間であり、前記シール部材によって前記シリンジ室と仕切られた空間内に、非圧縮性液体が充填され、前記駆動部材の往復動による前記下方ベローズの伸縮に応じて、前記側方ベローズが、前記非圧縮性液体が充填された前記空間の容積を略一定に保つように連動しながら伸縮することを特徴とする定量送液ポンプ。
【請求項３】
前記チューブにおける両端部を除いた領域に、該チューブの長手方向に沿って延びる断面円弧状の凹部が複数設けられ、該複数の凹部が、前記チューブの周方向に均等な間隔で配置されていることを特徴とする請求項２に記載の定量送液ポンプ。
【請求項４】
前記チューブにおける両端部を除いた領域に、該チューブの長手方向に沿って延びる平面部が複数設けられ、該領域の断面が、前記複数の平面部を辺とし、角部が丸みを有する多角形状であることを特徴とする請求項２に記載の定量送液ポンプ。
【請求項５】
前記チューブにおける両端部を除いた領域の断面が楕円形状であることを特徴とする請求項２に記載の定量送液ポンプ。
【請求項６】
前記チューブにおける両端部を除いた領域に、該チューブの長手方向へ螺旋状に延びる溝部が設けられていることを特徴とする請求項２に記載の定量送液ポンプ。
【請求項７】
前記側方ベローズの収縮完了時および／または伸長完了時における該側方ベローズの先端部の位置を検知するセンサが設けられていることを特徴とする請求項１〜６のいずれかに記載の定量送液ポンプ。
【発明の詳細な説明】
【技術分野】
【０００１】
本発明は、半導体分野、液晶分野等に用いられる薬液を吐出する用途に好適な定量送液ポンプに関する。
【背景技術】
【０００２】
近年では、液晶画面の大型化に伴い液晶ディスプレイ基板のサイズも大きくなっている。このような大型の液晶ディスプレイ基板に対して製造時にレジスト液を塗布する方法として、基板の上方で吐出ヘッドを相対移動または走査させながら細線状のレジスト液を連続的に吐出させることにより、基板面へ所望の膜厚でレジスト液の塗布を行ういわゆるスピンレス法が採用されている。
【０００３】
このような用途に使用されるベローズポンプには、大型の基板への塗布に対応する大容量、配管抵抗による高液圧に耐え得る高耐圧性、均一なレジスト膜厚を得るための高定量性が要求される。特に、１回の吐出作動によるトータルのレジスト吐出量と、吐出作動時におけるレジスト吐出量のリニアリティの精度が高いものが要求されている。
【０００４】
レジスト液等の薬液の吐出に用いられるベローズポンプとして、ベローズに対してピストンを直接に取り付け、このピストンをステッピングモータとボールねじ機構によって軸方向へ往復動させることによりベローズを伸縮させるものがある（特許文献１）。このベローズポンプでは、レジスト液の液圧が高くなるとベローズが外側から押圧されて変形し、これにより吐出量が変動するため、吐出時におけるリニアリティが確保できず、高い定量精度が要求される用途には使用できない。
【０００５】
半導体製造装置の薬液供給に用いられる定量ポンプとして、特許文献２には、非圧縮性液体が収容された第１室と、吐出する液体が収容された第２室とを可撓性ダイヤフラムで仕切り、第１室との間がシールされた状態で第１室を移動するピストンを設けて、このピストンをボールねじ機構によりステッピングモータで駆動することによって第１室の容積を変化させ、この容積変化によりダイヤフラムを変形させることで第２室から液体を吐出させる定量ポンプが開示されている。
【０００６】
この定量ポンプでは、バネ付勢によりピストンのシールを行っているが、繰り返し作動によってシール部材が磨耗したり、シール部材が付勢バネから脱落したりすると、第１室の内部の非圧縮性液体が外部に漏れて第１室の容積が減少し、オフセット位置が変化してしまう。また、ピストンロッドが露出していることから、塵埃等によってシール部材が破損する等により液漏れと同時に第１室の内部にエアーが混入した場合には、吐出時における圧縮力によりエアーが容積変化して正確な吐出ができなくなる。
【０００７】
特許文献３には、半導体製造用のＣＶＤ装置に使用される液体材料を供給するためのベローズポンプが開示されている。このベローズポンプでは、ベローズの内部空間で構成されるベローズ室に非圧縮性液体を充填し、このベローズ室に軸方向に移動可能なピストンを設けて、ピストンを軸方向に往復動させることによってベローズを伸縮させている。
【０００８】
しかし、このベローズポンプでは、非圧縮性液体をパッキンのみで封止しているため、上記と同様に液漏れとエアー混入の可能性があり、長期間の使用を考慮した場合に正確な吐出の継続性という点で問題がある。
【０００９】
パッキンを介した液漏れへの対策として、特許文献４には、化学・原子力・火力プラン
ト等に用いられる圧力容器に設けられた摺動軸に対して、２箇所に設置されたパッキンの間に小型シリンダから高圧の液体を注入する技術が開示されている。しかし、ベローズポンプにおいてピストンをシールするパッキンを介した液漏れをさらに有効に防止できるシール構造が求められていた。
【００１０】
また、図１４に示したような定量送液ポンプが知られている（特許文献５）。この定量送液ポンプは、パルスモータ、プーリ、ベルトおよびボールねじで構成された駆動部でベローズ１０１を伸縮させる機構を備えるとともに、接液部には膨張および収縮自在なチューブ１０２を備えている。ポンプヘッド１０３の内部におけるチューブ１０２の外周側の非圧縮性流体収容室１０４と、べローズの外側の非圧縮性流体収容室１０５とが連通され、これらの非圧縮性流体収容室１０４，１０５に非圧縮性流体が充填されている。ベローズ１０１を伸縮させることによって非圧縮性流体収容室１０４および１０５の間で非圧縮性流体を流出入させ、これによりチューブ１０２を膨張、収縮させることによってチューブ１０２の内部に収容された移送液を吐出する。
【００１１】
この構造では、駆動軸の上下運動をベローズ１０１の伸縮運動に変換し、非圧縮性流体を介してチューブ１０２を膨張、収縮させて吸入、吐出を行うため、接液部であるチューブ１０２の内部はエアーの抜けが良く液滞留が起こりにくいという利点がある。
【００１２】
しかし、非圧縮性流体をベローズ１０２で押す構造のため、ベローズ１０２の伸縮時の容積変化が一定ではなく、また吐出時の負荷抵抗によりベローズ１０２が変形して吐出量が変化してしまい、一定吐出時のリニアリティが充分に得られず高精度な吐出ができないという問題点がある。
【００１３】
また、特許文献６には、ステッピングモータ、ボールねじ、大小２種類のベローズおよびチューブを備えた半導体用の定量ポンプが開示されている。この定量ポンプでは、図１４のポンプに比べて形状の小型化、構造の簡素化、および製作、メンテナンスの容易性等のメリットはあるものの、ベローズで非圧縮性流体を押すという基本構造は同じであり、上記したように一定吐出時のリニアリティが充分に得られず高精度な吐出ができないという問題点がある。
【００１４】
半導体ウエハのスピンレスコータに用いられるレジスト供給ポンプの場合には、繰り返し精度が良好であれば、一定吐出時のリニアリティが多少悪くても大きな問題にはならないが、液晶ガラス基板のスピンレスコータに用いられるレジスト供給ポンプの場合には、一定吐出時の精度（リニアリティ）が強く要求されるので、上記のような非圧縮性流体をベローズで押す構造のものは好ましくない。
【特許文献１】特開平７−１３０６２７号公報
【特許文献２】特許第３０５７０８２号公報
【特許文献３】特開平１１−１５９４６４号公報
【特許文献４】特開平９−１４４８９４号公報
【特許文献５】特開平１１−３０９４０５号公報
【特許文献６】特開平１０−０６１５５８号公報
【発明の開示】
【発明が解決しようとする課題】
【００１５】
本発明は、大容量の薬液を高い定量精度で吐出させることができ、さらに、長期に渡り正確な吐出が可能な定量送液ポンプを提供することを目的としている。
【課題を解決するための手段】
【００１６】
本発明の定量送液ポンプは、ポンプ室と、該ポンプ室へ移送液が吸入される吸入口と、
該ポンプ室から前記移送液が吐出される吐出口と、非圧縮性液体が内部室に充填され、伸縮によって前記ポンプ室の容積を変化させる送液用ベローズと、が設けられたポンプヘッドと、
前記非圧縮性液体が充填され前記送液用ベローズの内部室と連通されたシリンジ室が設けられたシリンジ本体と、
前記シリンジ本体との間がシール部材によってシールされた状態で前記シリンジ室を軸方向に往復動することにより、該シリンジ室と前記送液用ベローズの内部室との間で前記非圧縮性液体を流出入させ、これにより前記送液用ベローズを伸縮させる駆動部材と、
前記シリンジ室の外部で下方に延びる前記駆動部材の外周を囲み、その下端部が該駆動部材に固定され、該駆動部材の往復動に連動して伸縮する下方ベローズと、
前記駆動部材の側方に配置され、前記下方ベローズと内部室が連通した側方ベローズと、を備え、
前記下方ベローズおよび側方ベローズの内部室と、これらの内部室を連通させる連通部とからなる空間であり、前記シール部材によって前記シリンジ室と仕切られた空間内に、非圧縮性液体が充填され、前記駆動部材の往復動による前記下方ベローズの伸縮に応じて、前記側方ベローズが、前記非圧縮性液体が充填された前記空間の容積を略一定に保つように連動しながら伸縮することを特徴とする。
【００１７】
上記の発明では、駆動部材の移動によりシリンジ室の容積が変化する。具体的には、例えばパルスモータによりボールねじ機構でピストンを移動させることにより、ピストンの移動量に応じてシリンジ室の容積が変化する。これにより、この容積変化分の非圧縮性液体がシリンジ室と送液用ベローズの内部室との間を移動し、この非圧縮性液体の移動量だけ送液用ベローズが伸縮する。
【００１８】
このように、ポンプ室の容積を変化させて移送液を吸入、吐出させる部材としてリフト量が大きいベローズを用いているので、大容量の移送液を吐出させることができる。また、送液用ベローズの内部室に充填された非圧縮性液体により送液用ベローズを伸縮させているので、スピンレス法によるレジスト塗布等に使用する場合であっても配管抵抗等による負荷の影響を受けずに高いリニアリティで高精度に移送液を吐出させることができる。
【００１９】
さらに上記の発明では、シリンジ室の外部で下方に延びる駆動部材の外周を下方ベローズで囲み、この下方ベローズと内部室が連通した側方ベローズを駆動部材の側方に配置するとともに、下方ベローズおよび側方ベローズの内部室と、これらの内部室を連通させる連通部とからなる閉鎖空間に非圧縮性液体を充填している。
【００２０】
吸入作動時には、駆動部材が下降することによって下方ベローズが下方に押し下げられて伸長し、下方ベローズの内容積は増加するが、この容積増加分だけ側方ベローズの内部室から下方ベローズの内部室に非圧縮性液体が流れ込むので、側方ベローズは収縮する。すなわち、非圧縮性液体が充填された前記閉鎖空間の全体としての容積を一定に保ちながら下方ベローズが伸長し、側方ベローズが収縮する。
【００２１】
一方、吐出作動時には、駆動部材が上昇することによって下方ベローズが上方に押し上げられて収縮し、下方ベローズの内容積は減少するが、この容積減少分だけ下方ベローズの内部室から側方ベローズの内部室に非圧縮性液体が流れ込むので、側方ベローズは伸長する。すなわち、非圧縮性液体が充填された前記閉鎖空間の全体としての容積を一定に保ちながら下方ベローズが収縮し、側方ベローズが伸長する。
【００２２】
このように、駆動部材とシリンジ本体との間をシールするシール部材のシリンジ室とは反対側が、非圧縮性液体を充填した空間で密閉されているので、外気の混入を防止することができる。
【００２３】
さらに、吸入作動時にはシリンジ室が負圧となるが、側方ベローズから下方ベローズへ非圧縮性液体が流入することにより、シール部材のシリンジ室とは逆側も負圧となり、シール部材の両側の圧力差が小さくなる。また、吸入完了時には、送液用ベローズは自由長以下の長さに収縮しているので伸長する方向へ弾性力が作用し、これによってシリンジ室は負圧状態となる。しかし、側方ベローズも同様に自由長以下の長さに収縮しているので伸長する方向へ弾性力が作用し、これによってシール部材のシリンジ室とは逆側も負圧となり、シール部材の両側の圧力差が小さくなる。
【００２４】
一方、吐出作動時にはシリンジ室が正圧となるが、下方ベローズから側方ベローズへ非圧縮性液体が流入することにより、シール部材のシリンジ室とは逆側も正圧となり、シール部材の両側の圧力差が小さくなる。また、吐出完了時には、送液用ベローズは自由長以上の長さに伸長しているので収縮する方向へ弾性力が作用し、これによってシリンジ室は正圧状態となる。しかし、側方ベローズも同様に自由長以上の長さに伸長しているので収縮する方向へ弾性力が作用し、これによってシール部材のシリンジ室とは逆側も正圧となり、シール部材の両側の圧力差が小さくなる。
【００２５】
以上のように、本発明の定量送液ポンプによれば、シリンジ室に外気が混入するおそれがなく、またシール部材を介したシリンジ室の内外への液漏れ（液移動）が起きにくいので、長期に渡り高精度な吐出を維持できる。
【００２６】
本発明の定量送液ポンプは、内部空間がポンプ室を構成し、径方向に膨張および収縮自在なチューブと、該ポンプ室へ移送液が吸入される吸入口と、該ポンプ室から前記移送液が吐出される吐出口と、前記チューブの外周側の空間で構成され非圧縮性液体が充填されるチューブ外周室と、が設けられたポンプヘッドと、
前記非圧縮性液体が充填され前記チューブ外周室と連通されたシリンジ室が設けられたシリンジ本体と、
前記シリンジ本体との間がシール部材によってシールされた状態で前記シリンジ室を軸方向に往復動することにより、該シリンジ室と前記チューブ外周室との間で前記非圧縮性液体を流出入させ、これにより前記チューブを膨張および収縮させる駆動部材と、
前記シリンジ室の外部で下方に延びる前記駆動部材の外周を囲み、その下端部が該駆動部材に固定され、該駆動部材の往復動に連動して伸縮する下方ベローズと、
前記駆動部材の側方に配置され、前記下方ベローズと内部室が連通した側方ベローズと、を備え、
前記下方ベローズおよび側方ベローズの内部室と、これらの内部室を連通させる連通部とからなる空間であり、前記シール部材によって前記シリンジ室と仕切られた空間内に、非圧縮性液体が充填され、前記駆動部材の往復動による前記下方ベローズの伸縮に応じて、前記側方ベローズが、前記非圧縮性液体が充填された前記空間の容積を略一定に保つように連動しながら伸縮することを特徴とする。
【００２７】
ここで、「チューブを膨張および収縮させる」という場合、内側および外側からの圧力が掛からない状態におけるチューブ形状を基準としてチューブが膨張、収縮するという意味ではなく、あくまでも、チューブが相対的に径方向への容積変化を起こすという意味である。
【００２８】
上記の発明では、駆動部材の移動によりシリンジ室の容積が変化する。具体的には、例えばパルスモータによりボールねじ機構でピストンを移動させることにより、ピストンの移動量に応じてシリンジ室の容積が変化する。これにより、この容積変化分の非圧縮性液体がシリンジ室とチューブ外周室との間を移動し、この非圧縮性液体の移動量だけチューブが膨張および収縮する。
【００２９】
このように、ポンプ室の容積を変化させて移送液を吸入、吐出させる部材としてチューブを用いているので、移送液はチューブ内のポンプ室を長手方向へストレートに流れて行く。すなわち、ポンプ室内における移送液の滞留が起こりにくくマイクロバブルの発生等が防止され、また、ポンプ室内にエアーが混入してもエアーの抜けが良く、エアーの滞留が起こりにくい。したがって、レジスト液等の移送液の性能が損なわれることがない。
【００３０】
さらに上記の発明では、前述した発明と同様に、シリンジ室の外部で下方に延びる駆動部材の外周を下方ベローズで囲み、この下方ベローズと内部室が連通した側方ベローズを駆動部材の側方に配置するとともに、下方ベローズおよび側方ベローズの内部室と、これらの内部室を連通させる連通部とからなる閉鎖空間に非圧縮性液体を充填している。このように構成することによって、前述した作用により、シリンジ室に外気が混入するおそれがなく、またシール部材を介したシリンジ室の内外への液漏れ（液移動）が起きにくいので、長期に渡り高精度な吐出を維持できる。
【００３１】
上記の発明において、前記チューブにおける両端部を除いた領域に、該チューブの長手方向に沿って延びる断面円弧状の凹部が複数設けられ、該複数の凹部が、前記チューブの周方向に均等な間隔で配置されていることが好ましい。
【００３２】
また、前記チューブにおける両端部を除いた領域に、該チューブの長手方向に沿って延びる平面部が複数設けられ、該領域の断面が、前記複数の平面部を辺とし、角部が丸みを有する多角形状であることが好ましい。例えば、前記チューブにおける両端部を除いた領域が、３つの平面部が設けられた断面三角形状または４つの平面部が設けられた断面四角形状であることが好ましい。
【００３３】
また、前記チューブにおける両端部を除いた領域の断面が楕円形状であることが好ましい。
また、前記チューブにおける両端部を除いた領域に、該チューブの長手方向へ螺旋状に延びる溝部が設けられていることが好ましい。
【００３４】
レジスト塗布等の用途では、チューブの材質にはフッソ樹脂等が用いられるが、上記した各構成とすることによって、チューブの膨張、収縮時における径方向への応力に対してチューブは常に所定の形状変化をし、さらに、常に均一な形状変化をするので、チューブの耐久性が向上する。
【００３５】
本発明の定量送液ポンプは、前記側方ベローズの収縮完了時および／または伸長完了時における該側方ベローズの先端部の位置を検知するセンサが設けられていることを特徴とする。
【００３６】
シール部材の長期間の使用によりこれらが劣化し、液漏れ（液移動）が生じた場合、側方ベローズの収縮完了時および伸長完了時における停止位置が変化するが、側方ベローズの停止位置の変化をセンサで検知することによって、液漏れ等による異常を監視することができる。これによって、シール部材の交換時期を把握したり、側方ベローズの破壊を事前に防止したりすることができる。
【発明の効果】
【００３７】
本発明の定量送液ポンプによれば、大容量の薬液を高い定量精度で吐出させることができ、さらに、長期に渡り正確な吐出が可能である。
【発明を実施するための最良の形態】
【００３８】
以下、図面を参照しながら本発明について説明する。図１は、本発明の一実施形態における定量送液ポンプを示した断面図である。この定量送液ポンプは、液晶ディスプレイ基板にレジスト液を塗布する際に、基板の上方で吐出ヘッドを基板に対して相対移動させながら細線状のレジスト液を連続的に吐出させるスピンレス法によるレジスト塗布装置に用いられる。
【００３９】
この定量送液ポンプは、ＰＴＦＥ（ポリテトラフルオロエチレン）樹脂などのフッ素樹脂で形成された円筒形状のポンプヘッド２４と、同様にフッ素樹脂で形成された送液用ベローズ２５とを備えている。ポンプヘッド２４の内部における送液用ベローズ２５の外周側の空間は、ポンプ室２８を構成する。
【００４０】
送液用ベローズ２５は、ポンプヘッド２４の内部に配置され、水平方向に伸縮することによりポンプ室２８の容積を変化させる。
送液用ベローズ２５が収縮すると、図示しないレジスト液貯槽からレジスト液が吸入され、吸入側配管４６、吸入側空気作動弁４５、吸入側継手４４を通りポンプヘッド２４の吸入口４７からポンプ室２８にレジスト液が収容される。
【００４１】
送液用ベローズ２５が伸長すると、ポンプ室２８に収容されたレジスト液は、ポンプヘッド２４の吐出口４８から吐出側継手４１、吐出側空気作動弁４２、吐出側配管４３を通り、図示しないフィルタ、弁等を通過して吐出ヘッドからレジスト液が吐出される。
【００４２】
本実施形態では、送液用ベローズ２５の形状を、蛇腹部が先端部に向かって縮径する形状、すなわち、断面が台形状である、先端側を切断した円錐形状としている。スピンレス法によるレジスト塗布では、配管抵抗等によりレジスト液圧が高くなるが、送液用ベローズ２５の形状をこのようにすることで、外側からレジスト液の圧力が負荷されても送液用ベローズ２５は伸縮軸からずれた変形をすることがなく、座屈が防止される。したがって、送液用ベローズ２５が座屈してポンプヘッド２４の内壁に接触することによるパーティクルの発生を防止することができる。しかし、場合に応じて送液用ベローズ２５の形状を他の形状、例えば円筒形状としてもよい。
【００４３】
送液用ベローズ２５とポンプヘッド２４は、ポンプヘッド押さえ２７とポンプヘッド台２６によって挟み込んで不図示のねじで固定されている。ポンプヘッド台２６のポンプヘッド２４と逆側の面には、ステンレス等の金属材で形成されたシリンジ本体１３が固定されている。シリンジ本体１３の内部のシリンジ室１７には、シリンジ室１７を軸方向に往復動するピストンロッド１０が、シール部材１５，１６を介して摺動自在に設けられている。なお、ピストンロッド１０は後述のロッド固定台９と共に、駆動部材を構成している。
【００４４】
シリンジ室１７は、送液用ベローズ２５の内部室である送液用ベローズ室２９と連通され、シリンジ室１７および送液用ベローズ室２９には、シリコーンオイル等の非圧縮性液体が充填されている。この非圧縮性液体は、シリンジ栓１４の位置に設けられた開口からシリンジ室１７および送液用ベローズ室２９に注入され、非圧縮性液体を充填した後にシリンジ栓１４によって封止される。
【００４５】
ピストンロッド１０がシリンジ室１７を軸方向に往復動することにより、シリンジ室１７の容積が変化し、この容積変化分に応じた量の非圧縮性液体がシリンジ室１７と送液用ベローズ室２９との間で流出入し、これにより送液用ベローズ２５が伸縮してレジスト液が吸入、吐出される。
【００４６】
ピストンロッド１０は、ボールねじ機構によって、パルスモータ１の回転量に比例した
量だけ上下に移動する。パルスモータ１は、モータ固定台３の下部に固定されている。パルスモータ１のモータ軸２は、軸ぶれを補正可能なカップリング５によりボールねじ軸７と連結されている。
【００４７】
モータ固定台３の上部には、台座４が固定されている。パルスモータ１と台座４は、モータ固定台３により、モータ軸２とボールねじ軸７との軸ぶれを無くすように、所定の嵌め合い公差で連結される。台座４にはサポートガイド６が固定され、サポートガイド６が内蔵するボールベアリングによりボールねじ軸７が回転自在に支持されている。
【００４８】
ボールねじ軸７は、ロッド固定台９の下部貫通穴に固定されたボールねじナット８に螺合され、ロッド固定台９の上部穴に固定された円筒形状のピストンロッド１０の内部空間に、ボールねじナット８を貫通した部分が内包されている。
【００４９】
四角形状のロッド固定台９の側面には、リニアブッシュ１８が取り付けられ、リニアブッシュ１８は、円柱状のシャフト１９に摺動自在に支持されている。
シャフト１９は、下部側が台座４に、上部側がシャフト固定台２０に固定されている。リニアブッシュ１８は、円柱状のシャフト１９を内包して摺動自在に支持されていることから、回転方向への移動が抑制され、これによりボールねじ軸７の回転に伴うボールねじナット８の回転が抑制される。したがって、ボールねじ軸７の回転がボールねじナット８の上下方向への直線運動に変換される。
【００５０】
パルスモータ１の駆動により、モータ軸２と連結されたボールねじ軸７が回転し、ボールねじ軸７の回転がボールねじナット８により直線運動に変換され、これによりピストンロッド１０がシリンジ室１７を軸方向に移動する。
【００５１】
ロッド固定台９の側方には、センサ固定台２１に固定されたフォトセンサ２２が設けられている。フォトセンサ２２は、ロッド固定台９に取り付けられた反射板２３の位置を、反射板２３からの反射光の有無を検知することによってピストンロッド１０の吸入終了位置または吐出開始位置を特定する。
【００５２】
本実施形態では、シリンジ室１７の外部で下方に延びるピストンロッド１０の外周を囲み、ピストンロッド１０の往復動に連動して伸縮する下方ベローズ３０が設けられている。
【００５３】
下方ベローズ３０は、上端部がベローズ押さえリング３２によってシリンジ台座１１に固定され、下端部がベローズ押さえリング３１によってロッド固定台９に固定されている。
【００５４】
さらに、ピストンロッド１０の側方に、側方ベローズ３６が設けられている。側方ベローズ３６は、ベローズ押さえリング３７によってベローズ台座３４に固定されている。
ベローズ台座３４はシリンジ台座１１に固定され、これらのベローズ台座３４およびシリンジ台座１１に形成された連通孔を介して、下方ベローズ３０の内部室である下方ベローズ室３３と、側方ベローズ３６の内部室である側方ベローズ室３８とが連通部８０を介して連通されている。
【００５５】
下方ベローズ室３３から側方ベローズ室３８までの内部空間（以下、「閉鎖空間」という）には、シリコーンオイル等の非圧縮性液体が充填されている。この非圧縮性液体は、シリンジ栓３５の位置に設けられた開口から閉鎖空間に注入され、非圧縮性液体を充填した後にシリンジ栓３５によって封止される。
【００５６】
下部側パッキン１５および上部側パッキン１６で仕切られたシリンジ室１７とは反対側の領域は、非圧縮性液体を充填した上記の閉鎖空間で密閉されている。図４に拡大して示したように、下部側パッキン１５は、シリンジ本体１３の一部であるパッキン台座１２と、シリンジ台座１１との間に収納され、上部側パッキン１６は、シリンジ本体１３とパッキン台座１２との間に収納されている。
【００５７】
下部側パッキン１５と上部側パッキン１６は、断面がＵ字状であり、Ｕ字の内面に非圧縮性液体の液圧が作用すると外側へ開くように変形する。例えば、断面Ｕ字状の耐摩耗性が高い樹脂材のＵ字内面側にステンレス等によるばねを組み込んだものなどを使用することができる。
【００５８】
下部側パッキン１５と上部側パッキン１６は、Ｕ字の開放側が互いに反対方向を向くように、すなわち下部側パッキン１５におけるＵ字の開放側が下向きとなり、上部側パッキン１６におけるＵ字の開放側が上向きとなるように配置されている。
【００５９】
シリンジ室１７の液圧が高まると、上部側パッキン１６のＵ字内面に非圧縮性液体の圧力が掛かり、Ｕ字の両側面が開いてピストンロッド１０およびシリンジ本体１３に密着してシール性が高まるようになっている。
【００６０】
また、下部側パッキン１５の下方における、下方ベローズ室３３から側方ベローズ室３８に至る閉鎖空間の液圧が高まると、下部側パッキン１５のＵ字内面に非圧縮性液体の圧力が掛かり、Ｕ字の両側面が開いてピストンロッド１０およびパッキン台座１２に密着してシール性が高まるようになっている。
【００６１】
なお、ピストンロッド１０の外周面とシリンジ本体１３の内周面との間には、上部側パッキン１６のＵ字内面に適度に液圧が掛かるように若干の隙間が設けられ、ピストンロッド１０の外周面とシリンジ台座１１の内周面との間も同様に、下部側パッキン１５のＵ字内面に適度に液圧が掛かるように若干の隙間が設けられている。
【００６２】
以下、図２および図３を参照しながら下方ベローズ３０および側方ベローズ３６の作用について説明する。図２は吸入作動時の状態を示している。吸入作動時には、ピストンロッド１０が下降することによって下方ベローズ３０が下方に押し下げられて伸長し、下方ベローズ室３３の容積は増加する。一方、この容積増加分だけ側方ベローズ室３８から下方ベローズ室３３に非圧縮性液体５２´が流れ込むので、側方ベローズ３６は収縮する。すなわち、非圧縮性液体５２´が充填された閉鎖空間の全体としての容積を一定に保ちながら下方ベローズ３０が伸長し、側方ベローズ３６が収縮する。
【００６３】
吸入作動時には、シリンジ室１７は負圧状態となるが、側方ベローズ室３８から下方ベローズ室３３へ非圧縮性流体５２´が流れ込むことによって、下部側パッキン１５の下方は若干の負圧状態となる。このため、下部側パッキン１５および上部側パッキン１６を介した両側の圧力差が少なくなる。
【００６４】
また、吸入完了時には、送液用ベローズ２５は自由長以下の長さに収縮した状態であるので、伸長する方向へ弾性力が作用し、これによってシリンジ室１７は若干の負圧状態となる。しかし、側方ベローズ３６も同様に自由長以下の長さに収縮した状態であるので、伸長する方向へ弾性力が作用し、これによって下方ベローズ室３３から側方ベローズ室３８に至る閉鎖空間も若干の負圧状態となる。このため、下部側パッキン１５および上部側パッキン１６を介した両側、すなわちシリンジ室１７と閉鎖空間との圧力差が少なくなる。
【００６５】
一方、図３に示した吐出作動時には、ピストンロッド１０が上昇することによって下方ベローズ３０が上方に押し上げられて収縮し、下方ベローズ室３３の容積は減少する。一方、この容積減少分だけ下方ベローズ室３３から側方ベローズ室３８に非圧縮性液体５２´が流れ込むので、側方ベローズ３６は伸長する。すなわち、非圧縮性液体５２´が充填された閉鎖空間の全体としての容積を一定に保ちながら下方ベローズ３０が収縮し、側方ベローズ３６が伸長する。
【００６６】
吐出作動時には、シリンジ室１７は正圧状態となるが、下方ベローズ室３３から側方ベローズ室３８へ非圧縮性流体５２´が流れ込むことによって、下部側パッキン１５の下方は若干の正圧状態となる。このため、下部側パッキン１５および上部側パッキン１６を介した両側の圧力差が少なくなる。
【００６７】
また、吐出完了時には、送液用ベローズ２５は自由長以上の長さに伸長した状態であるので、収縮する方向へ弾性力が作用し、これによってシリンジ室１７は若干の正圧状態となる。しかし、側方ベローズ３６も同様に自由長以上の長さに伸長した状態であるので、収縮する方向へ弾性力が作用し、これによって下方ベローズ室３３から側方ベローズ室３８に至る閉鎖空間も若干の正圧状態となる。このため、下部側パッキン１５および上部側パッキン１６を介した両側、すなわちシリンジ室１７と閉鎖空間との圧力差が少なくなる。
【００６８】
このように、下部側パッキン１５および上部側パッキン１６のシリンジ室１７とは反対側が、非圧縮性液体５２´を充填した閉鎖空間で密閉されているので、シリンジ室１７へ外気が混入することがない。さらに、ピストンロッド１０の上下動による下方ベローズ３０の伸長、収縮に連動して側方ベローズ３６が逆方向に収縮、伸長することにより、パッキンの片側が大気接触である場合に比べて、吸入時と吐出時のいずれの場合も下部側パッキン１５および上部側パッキン１６を境界とした上下の圧力差が少なく、シリンジ室１７と閉鎖空間との間で非圧縮性液体が流出入して液漏れが生じることを抑制できる。また、空気の分子量に比べて非圧縮性流体の方が分子量が大きいことも、液漏れ防止に有効に作用する。また、下方ベローズ３０を設けているため、ピストンロッド１０に塵埃が付着することによりシール部材のパッキン１５，１６を傷つけることがないので、パッキン１５，１６の寿命が長くなる。
【００６９】
本実施形態では、側方ベローズ３６の先端部からやや離間した位置に、ベローズストッパ３９を配置している。例えばシリンジ室１７からの液漏れが生じて、下方ベローズ室３３から側方ベローズ室３８に至る閉鎖空間に液漏れした非圧縮性液体５２が流れ込むと、閉鎖空間の容積が増大して、吐出時に側方ベローズ３６が過剰に伸びて破壊するおそれがある。しかし、ベローズストッパ３９を配置することによって、側方ベローズ３６がベローズストッパ３９の位置まで伸長するとベローズストッパ３９に突き当たってそれ以上伸びることがないため、側方ベローズ３６の破壊を防止することができる。
【００７０】
また、ベローズストッパ３９には、センサ４０が設置されている。このセンサ４０は、側方ベローズ３６の収縮完了時、伸長完了時、あるいはこれらの双方の時点における側方ベローズ３６の先端部の位置を検知する。センサ４０として、公知である各種の光学センサ等を使用することができる。
【００７１】
下部側パッキン１５および上部側パッキン１６の長期間の使用によりこれらが劣化し、液漏れ（液移動）が生じた場合、側方ベローズ３６の収縮完了時および伸長完了時における停止位置が変化する。すなわち、シリンジ室１７へ非圧縮性液体５２´が流入した場合には、側方ベローズ３６の停止位置がセンサ４０から離れる方向へ移動する。一方、シリンジ室１７から非圧縮性液体５２が流出した場合には、側方ベローズ３６の停止位置がセ
ンサ４０に近づく方向へ移動する。
【００７２】
側方ベローズ３６の停止位置の変化をセンサ４０で検知することによって、液漏れによる異常を監視することができる。これによって、下部側パッキン１５および上部側パッキン１６の交換時期を把握したり、側方ベローズ３６の破壊を事前に防止したりすることができる。
【００７３】
図５は、本発明の他の実施形態における定量送液ポンプを示した断面図である。この定量送液ポンプは、上述した実施形態と同様に、液晶ディスプレイ基板にレジスト液を塗布する際に、基板の上方で吐出ヘッドを基板に対して相対移動させながら細線状のレジスト液を連続的に吐出させるスピンレス法によるレジスト塗布装置に用いられる。
【００７４】
なお、上述した実施形態に対応する各部材等は同一の符号で示しその詳細な説明を省略する。
本実施形態の定量送液ポンプは、ＰＴＦＥ（ポリテトラフルオロエチレン）樹脂などのフッ素樹脂で形成された円筒形状のポンプヘッド２４と、同様にフッ素樹脂で形成されたチューブ６１とを備えている。チューブ６１の内部空間は、レジスト液が収容されるポンプ室２８を構成し、ポンプヘッド２４の内部におけるチューブ６１の外周側の空間は、非圧縮性液体が収容されるチューブ外周室６２を構成する。
【００７５】
チューブ６１は、ポンプヘッド２４の内部に配置され、径方向に膨張および収縮することによりポンプ室２８の容積を変化させる。
チューブ６１が膨張すると、図示しないレジスト液貯槽からレジスト液が吸入され、吸入側配管４６、吸入側空気作動弁４５、吸入側継手４４を通りポンプヘッド２４の吸入口４７からポンプ室２８にレジスト液が収容される。
【００７６】
チューブ６１が収縮すると、ポンプ室２８に収容されたレジスト液は、ポンプヘッド２４の吐出口４８から吐出側継手４１、吐出側空気作動弁４２、吐出側配管４３を通り、図示しないフィルタ、弁等を通過して吐出ヘッドからレジスト液が吐出される。
【００７７】
吸入側継手４４は、吸入側継手台６４によってポンプヘッド２４に固定されている。チューブ６１の吸入側端部は、吸入側ベース６３によって、吸入口４７がチューブ６１の内部に連通するように吸入側継手台６４に固定されている。
【００７８】
吐出側継手４１は、吐出側継手台６６によってポンプヘッド２４に固定されている。チューブ６１の吐出側端部は、吐出側ベース６５によって、吐出口４８がチューブ６１の内部に連通するように吐出側継手台６６に固定されている。
【００７９】
チューブ６１を固定する方法としては、例えば、ＰＴＦＥ樹脂、ＰＴＡ樹脂などの溶着による方法、Ｏリングを用いる方法などを挙げることができる。
ポンプヘッド２４は、ポンプヘッド台２６に不図示のねじで固定されている。ポンプヘッド台２６のポンプヘッド２４と逆側の面には、ステンレス等の金属材で形成されたシリンジ本体１３が固定されている。シリンジ本体１３の内部のシリンジ室１７には、シリンジ室１７を軸方向に往復動するピストンロッド１０が、シール部材１５，１６を介して摺動自在に設けられている。なお、ピストンロッド１０は後述のロッド固定台９と共に、駆動部材を構成している。
【００８０】
シリンジ室１７は、チューブ外周室６２と連通され、シリンジ室１７およびチューブ外周室６２には、シリコーンオイル等の非圧縮性液体が充填されている。この非圧縮性液体は、シリンジ栓１４の位置に設けられた開口からシリンジ室１７およびチューブ外周室６
２に注入され、非圧縮性液体を充填した後にシリンジ栓１４によって封止される。
【００８１】
ピストンロッド１０がシリンジ室１７を軸方向に往復動することにより、シリンジ室１７の容積が変化し、この容積変化分に応じた量の非圧縮性液体がシリンジ室１７とチューブ外周室６２との間で流出入し、これによりチューブ６１が膨張および収縮してレジスト液が吸入、吐出される。
【００８２】
シリンジ本体１３からパルスモータ１までの構成は上述した実施形態と同様であり、パルスモータ１の駆動により、モータ軸２と連結されたボールねじ軸７が回転し、ボールねじ軸７の回転がボールねじナット８により直線運動に変換され、これによりピストンロッド１０がシリンジ室１７を軸方向に移動する。また、下部側パッキン１５および上部側パッキン１６も上述した実施形態と同様のものを使用している。
【００８３】
また、上述した実施形態と同様に、シリンジ室１７の外部で下方に延びるピストンロッド１０の外周を囲み、ピストンロッド１０の往復動に連動して伸縮する下方ベローズ３０が設けられ、ピストンロッド１０の側方には、側方ベローズ３６が設けられている。下方ベローズ室３３から側方ベローズ室３８までの閉鎖空間には、シリコーンオイル等の非圧縮性液体が充填されている。
【００８４】
以下、図６および図７を参照しながら下方ベローズ３０および側方ベローズ３６の作用について説明する。図６は吸入作動時の状態を示している。吸入作動時には、ピストンロッド１０が下降することによって下方ベローズ３０が下方に押し下げられて伸長し、下方ベローズ室３３の容積は増加する。一方、この容積増加分だけ側方ベローズ室３８から下方ベローズ室３３に非圧縮性液体５２´が流れ込むので、側方ベローズ３６は収縮する。すなわち、非圧縮性液体５２´が充填された閉鎖空間の全体としての容積を一定に保ちながら下方ベローズ３０が伸長し、側方ベローズ３６が収縮する。
【００８５】
吸入作動時には、シリンジ室１７は負圧状態となるが、側方ベローズ室３８から下方ベローズ室３３へ非圧縮性流体５２´が流れ込むことによって、下部側パッキン１５の下方は若干の負圧状態となる。このため、下部側パッキン１５および上部側パッキン１６を介した両側の圧力差が少なくなる。
【００８６】
また、吸入完了時には、チューブ６１は径方向に膨張した状態であるので、収縮する方向へ弾性力が作用し、これによってシリンジ室１７は若干の負圧状態となる。しかし、側方ベローズ３６は自由長以下の長さに収縮した状態であるので、伸長する方向へ弾性力が作用し、これによって下方ベローズ室３３から側方ベローズ室３８に至る閉鎖空間も若干の負圧状態となる。このため、下部側パッキン１５および上部側パッキン１６を介した両側、すなわちシリンジ室１７と閉鎖空間との圧力差が少なくなる。
【００８７】
一方、図７に示した吐出作動時には、ピストンロッド１０が上昇することによって下方ベローズ３０が上方に押し上げられて収縮し、下方ベローズ室３３の容積は減少する。一方、この容積減少分だけ下方ベローズ室３３から側方ベローズ室３８に非圧縮性液体５２´が流れ込むので、側方ベローズ３６は伸長する。すなわち、非圧縮性液体５２´が充填された閉鎖空間の全体としての容積を一定に保ちながら下方ベローズ３０が収縮し、側方ベローズ３６が伸長する。
【００８８】
吐出作動時には、シリンジ室１７は正圧状態となるが、下方ベローズ室３３から側方ベローズ室３８へ非圧縮性流体５２´が流れ込むことによって、下部側パッキン１５の下方は若干の正圧状態となる。このため、下部側パッキン１５および上部側パッキン１６を介した両側の圧力差が少なくなる。
【００８９】
また、吐出完了時には、チューブ６１は径方向に収縮した状態であるので、膨張する方向へ弾性力が作用し、これによってシリンジ室１７は若干の正圧状態となる。しかし、側方ベローズ３６は自由長以上の長さに伸長した状態であるので、収縮する方向へ弾性力が作用し、これによって下方ベローズ室３３から側方ベローズ室３８に至る閉鎖空間も若干の正圧状態となる。このため、下部側パッキン１５および上部側パッキン１６を介した両側、すなわちシリンジ室１７と閉鎖空間との圧力差が少なくなる。
【００９０】
このように、下部側パッキン１５および上部側パッキン１６のシリンジ室１７とは反対側が、非圧縮性液体５２´を充填した閉鎖空間で密閉されているので、シリンジ室１７へ外気が混入することがない。さらに、ピストンロッド１０の上下動による下方ベローズ３０の伸長、収縮に連動して側方ベローズ３６が逆方向に収縮、伸長することにより、パッキンの片側が大気接触である場合に比べて、吸入時と吐出時のいずれの場合も下部側パッキン１５および上部側パッキン１６を境界とした上下の圧力差が少なく、シリンジ室１７と閉鎖空間との間で非圧縮性液体が流出入して液漏れが生じることを抑制できる。また、空気の分子量に比べて非圧縮性流体の方が分子量が大きいことも、液漏れ防止に有効に作用する。また、下方ベローズ３０を設けているため、ピストンロッド１０に塵埃が付着することによりシール部材のパッキン１５，１６を傷つけることがないので、パッキン１５，１６の寿命が長くなる。
【００９１】
本発明では、チューブ６１の形状は特に限定されないが、本実施形態のようにチューブ６１の材質としてフッソ樹脂等の樹脂材を用いる場合、断面が真円形状である円筒状のチューブを使用すると、外側からの非圧縮性液体による押圧で径方向へ収縮する際に、収縮の仕方が一定とはならず、無理な歪みが生じたりすることがある。このため、繰り返しの膨張、収縮によりチューブが疲労損傷し易くなり、チューブの耐久性が低くなる。このため、チューブ６１の形状を以下の形状とすることが好ましい。なお、図８〜図１１において、（ａ）はチューブ６１の全体図、（ｂ）はそのＡ−Ａ線断面図である。
【００９２】
図８および図９に示したチューブ６１では、チューブ６１における両端部を除いた領域に、チューブ６１の長手方向に沿って延びる断面円弧状の凹部７１を複数設けている。これらの凹部７１は、チューブ６１の周方向に均等な間隔で配置されている。図８では３つの凹部７１がチューブ６１の周方向に均等な間隔で配置され、図９では４つの凹部７１がチューブ６１の周方向に均等な間隔で配置されている。
【００９３】
このようにすることで、チューブ６１の膨張、収縮時における径方向への応力に対してチューブ６１は凹部７１を基準として常に一定且つ均一な形状変化をするので、チューブ６１の耐久性が向上する。
【００９４】
図１０および図１１に示したチューブ６１では、チューブ６１における両端部を除いた領域に、チューブ６１の長手方向に沿って延びる平面部７２が複数設けられている。当該領域の断面は、複数の平面部７２を辺とし、角部が丸みを有する多角形状とされている。
【００９５】
図１０では、チューブ６１における両端部を除いた領域が、３つの平面部７２が設けられた断面三角形状となっている。図１１では、チューブ６１における両端部を除いた領域が、４つの平面部７２が設けられた断面四角形状となっている。
【００９６】
このようにすることで、チューブ６１の膨張、収縮時における径方向への応力に対してチューブ６１は平面部７２を基準として常に一定且つ均一な形状変化をするので、チューブ６１の耐久性が向上する。
【００９７】
図１２に示したチューブ６１では、チューブ６１における両端部を除いた領域７３の断面が楕円形状とされている。この楕円形状は、短軸方向と長軸方向が規定されていれば真の楕円からやや外れた形状であってもよい。
【００９８】
このようにすることで、チューブ６１の膨張、収縮時における径方向への応力に対してチューブ６１は楕円の短軸方向へ常に一定且つ均一な形状変化をするので、チューブ６１の耐久性が向上する。
【００９９】
図１３に示したチューブ６１では、チューブ６１における両端部を除いた領域に、チューブ６１の長手方向へ螺旋状に延びる溝部７４が設けられている。このようにすることで、チューブ６１の膨張、収縮時における径方向への応力に対してチューブ６１は螺旋状の溝部７４を基準として常に一定且つ均一な形状変化をするので、チューブ６１の耐久性が向上する。
【０１００】
なお、図１〜図７において、パッキン１５，１６以外のシール部材（例えば送液用ベローズ２５とポンプヘッド台２６とのシール、シリンジ栓１４，３５のシール等のためのシール部材）は、発明の構成を分かり易くするために省略してある。
【０１０１】
以上、本発明の実施形態について説明したが、本発明はこれらの実施形態に限定されることはなく、その要旨を逸脱しない範囲内において各種の変形、変更が可能である。
【図面の簡単な説明】
【０１０２】
【図１】図１は、本発明の一実施形態における定量送液ポンプを示した断面図である。
【図２】図２は、ポンプ室へレジスト液を吸入する作動状態を示した図１の定量送液ポンプの断面図である。
【図３】図３は、ポンプ室からレジスト液を吐出する作動状態を示した図１の定量送液ポンプの断面図である。
【図４】図４は、パッキンの周辺を示した拡大断面図である。
【図５】図５は、本発明の他の実施形態における定量送液ポンプを示した断面図である。
【図６】図６は、ポンプ室へレジスト液を吸入する作動状態を示した図５の定量送液ポンプの断面図である。
【図７】図７は、ポンプ室からレジスト液を吐出する作動状態を示した図５の定量送液ポンプの断面図である。
【図８】図８は、チューブ形状の一例を示した図であり、図８（ａ）はチューブの斜視図、図８（ｂ）はそのＡ−Ａ線断面図である。
【図９】図９は、チューブ形状の他の例を示した図であり、図９（ａ）はチューブの斜視図、図９（ｂ）はそのＡ−Ａ線断面図である。
【図１０】図１０は、チューブ形状の他の例を示した図であり、図１０（ａ）はチューブの斜視図、図１０（ｂ）はそのＡ−Ａ線断面図である。
【図１１】図１１は、チューブ形状の他の例を示した図であり、図１１（ａ）はチューブの斜視図、図１１（ｂ）はそのＡ−Ａ線断面図である。
【図１２】図１２は、チューブ形状の他の例を示した図であり、図１２（ａ）はチューブの斜視図、図１２（ｂ）はそのＡ−Ａ線断面図である。
【図１３】図１３は、チューブ形状の他の例を示した斜視図である。
【図１４】図１４は、従来の定量送液ポンプの断面図である。
【符号の説明】
【０１０３】
１  パルスモータ
２  モータ軸
３  モータ固定台
４  台座
５  カップリング
６  サポートガイド
７  ボールねじ軸
８  ボールねじナット
９  ロッド固定台
１０  ピストンロッド
１１  シリンジ台座
１２  パッキン台座
１３  シリンジ本体
１４  シリンジ栓
１５  下部側パッキン
１６  上部側パッキン
１７  シリンジ室
１８  リニアブッシュ
１９  シャフト
２０  シャフト固定台
２１  センサ固定台
２２  フォトセンサ
２３  反射板
２４  ポンプヘッド
２５  送液用ベローズ
２６  ポンプヘッド台
２７  ポンプヘッド押さえ
２８  ポンプ室
２９  送液用ベローズ室
３０  下方ベローズ
３１  ベローズ押さえリング
３２  ベローズ押さえリング
３３  下方ベローズ室
３４  ベローズ台座
３５  シリンジ栓
３６  側方ベローズ
３７  ベローズ押さえリング
３８  側方ベローズ室
３９  ベローズストッパ
４０  センサ
４１  吐出側継手
４２  吐出側空気作動弁
４３  吐出側配管
４４  吸入側継手
４５  吸入側空気作動弁
４６  吸入側配管
４７  吸入口
４８  吐出口
５１  レジスト液
５２，５２´  非圧縮性液体
６１  チューブ
６２  チューブ外周室
６３  吸入側ベース
６４  吸入側継手台
６５  吐出側ベース
６６  吐出側継手台
７１  凹部
７２  平面部
７３  チューブの両端部を除いた領域
７４  溝部
８０  連通部
【図１】
2006266250.tif 000003
【図２】
2006266250.tif 000004
【図３】
2006266250.tif 000005
【図４】
2006266250.tif 000006
【図５】
2006266250.tif 000007
【図６】
2006266250.tif 000008
【図７】
2006266250.tif 000009
【図８】
2006266250.tif 000010
【図９】
2006266250.tif 000011
【図１０】
2006266250.tif 000012
【図１１】
2006266250.tif 000013
【図１２】
2006266250.tif 000014
【図１３】
2006266250.tif 000015
【図１４】
2006266250.tif 000016